(57)【要約】【課題】  本考案は、ＵＳＢメモリカードの使用が促進されるよう、ＵＳＢメモリカードにファイルを記憶するためまたはＵＳＢメモリカードからファイルをダウンロードするためＵＳＢメモリカードを内部に設けた電子装置を提供する。他方、ＵＳＢメモリカードの頻繁な抜差しによって誘起される構造的損傷を回避する。【解決手段】  本考案にもとづき、受容スペースと、受容スペースに配設された第１コネクタと、受容スペースに配設され且つＵＳＢメモリカードにファイルを記憶するためまたはＵＳＢメモリカードのファイルにアクセスするため受容スペースに挿入されたＵＳＢメモリカードとを含む電子装置を提供する。【選択図】  図２Ａ
0003125336.tif 000002
【実用新案登録請求の範囲】
【請求項１】
電子装置であって、下記、即ち、受容スペースと；上記受容スペースに配設された第１コネクタと；上記受容スペースに配設され、ＵＳＢメモリカードのファイルにアクセスするためまたはＵＳＢメモリカードにファイルを記憶するため上記第１コネクタを介して上記電子装置に電気的に連結されたＵＳＢメモリカードと；を含む形式の電子装置。
【請求項２】
上記受容スペースが、上記電子装置内に配設され、上記電子装置の一部によって被われていることを特徴とする請求項１に記載の電子装置。
【請求項３】
上記受容スペースが、該スペース内に上記ＵＳＢメモリカードを挿入するため、上記電子装置の周縁に配設されていることを特徴とする請求項１に記載の電子装置。
【請求項４】
上記第１コネクタが、上記ＵＳＢメモリカードに接続するための複数の導電端子を含み、上記導電端子が、導電性部材または導電性突出部であることを特徴とする請求項１に記載の電子装置。
【請求項５】
可搬電子装置、即ち、携帯電話、パームコンピュータ（ｐａｌｍ  ｃｏｍｐｕｔｅｒ）、ノートパソコン、携帯情報端末（ｐｅｒｓｏｎａｌ  ｄｉｇｉｔａｌ  ａｓｓｉｓｔａｎｔ）、デスクトップコンピュータまたはデジタルカメラであることを特徴とする請求項１に記載の電子装置。
【請求項６】
上記受容スペースが、更に、上記受容スペース内に上記ＵＳＢメモリカードを確保するための固定装置を含むことを特徴とする請求項１に記載の装置。
【請求項７】
上記電子装置が、更に、スマートカードに接続するための第２コネクタを含み、上記スマートカードが、ＳＩＭカードであることを特徴とする請求項１に記載の装置。
【請求項８】
ＵＳＢメモリカードおよび電子機器のＵＳＢポートを信号接続するための信号アダプタにおいて、下記、即ち、ケーシングと；上記ケーシングに上記ＵＳＢメモリカードを挿入するためのスロットと；上記ケーシング内に配設され、上記ＵＳＢメモリカードから伝送された信号をＵＳＢフォーマット信号に変換するために上記ＵＳＢメモリカードに電気的に連結された信号変換器と；上記信号変換器に電気的に連結され、上記ＵＳＢフォーマット信号を上記ＵＳＢポートを介して電子機器に伝送するために上記電子機器の上記ＵＳＢポートに挿入されるＵＳＢコネクタと；を含むことを特徴とする信号アダプタ。
【請求項９】
上記ＵＳＢコネクタが上記電子機器の上記ＵＳＢポートに挿入されてない場合に上記ＵＳＢコネクタを保護するため２つの位置の間を移動するカバーを更に含むことを特徴とする請求項８に記載の信号アダプタ。
【請求項１０】
上記ケーシングが、複数のプラスチックケーシングを統合することによって形成されていることを特徴とする請求項８に記載の信号アダプタ。
【請求項１１】
上記スロットの２つの上部コーナが、アーク形状であり、上記スロットの２つの下部コーナが、長方形であることを特徴とする請求項８に記載の信号アダプタ。
【請求項１２】
上記ＵＳＢメモリカードの２つの上側部が、アーク形状であり、２つの下側部が、長方形であることを特徴とする請求項１１に記載の信号アダプタ。
【考案の詳細な説明】
【技術分野】
【０００１】
本考案は、電子装置に関し、更に詳細に云えば、使用されるＵＳＢメモリカードのための電子装置に関する。
【背景技術】
【０００２】
デジタル技術の進歩とともに、多くの電子装置、特に、携帯電話、パームコンピュータ、ノートパソコンまたはデジタルカメラなどの可搬電子装置は、消費者の要求を満足するため、ファイルアクセス、ネットワーク通信、デジタル写真撮影および娯楽に関する多重機能を有する。可搬電子装置の記憶容量は制限されるので、映画、音楽、アニメまたはイメージファイルを記憶するため補足のメモリカードが必要である。
【０００３】
しかしながら、電子装置の小型化および多重機能の要求とともに、メモリカードの容積は、減少される傾向にあり、メモリカードの記憶容量は、増大されている。共用のメモリカード、例えば、コンパクト・フラッシュカード（ＣＦカード）（登録商標）、マルチメディア・メモリカード（ＭＭＣカード）、セキュア・デジタルカード（ＳＤカード）が、現在、汎用されているが、これらの通常のメモリカードの容積および伝送速度は、ユーザの要求を満足できない。なぜならば、ファイルを記憶するため複数のメモリカードが必要であり、メモリカードの上記ファイルをコンピュータにダウンロードするのに多くの時間がかかるからである。従って、最近、ＵＳＢメモリカード（ＵＳＣ）と云う名称の他の新しいメモリカードが提供されている。
【０００４】
ＵＳＢメモリカードを示す略図である図１を参照して説明する。図１に示した如く、ＵＳＢメモリカード１０は、実質的に、長方形の電子カードであり、ＵＳＢメモリカード１０の４つの辺の各々は、不正な統合を避けるため１組の接触パッド１１を有し、接触パッド１１の各組は、通常のＵＳＢポートよりも１つ多い５つのピン１１１を有する。補足の第５ピンは、ＵＳＢメモリカード１０の機能の増強、例えば、記憶容量の拡張、出力電力の減少または伝送速度の加速を達成できるのみならず、他の信号の伝送のために役立つ。
【０００５】
従って、装置内に配設されるＵＳＢメモリカードのために且つＵＳＢメモリカードの使用の促進のための電子装置を提供し、更に、ＵＳＢメモリカードおよび電子機器のＵＳＢポートを信号接続するための信号アダプタを提供する必要がある。
【考案の開示】
【考案が解決しようとする課題】
【０００６】
本考案の課題は、ＵＳＢメモリカードの使用が促進されるよう、ＵＳＢメモリカードにファイルを記憶するためまたはＵＳＢメモリカードからファイルをダウンロードするためＵＳＢメモリカードを内部に設けた電子装置を提供することにある。他方、ＵＳＢメモリカードの頻繁な抜差しによって誘起される構造的損傷は、本考案の設計によって回避できる。
【課題を解決するための手段】
【０００７】
本考案の１つの技術的思想にもとづき、ＵＳＢメモリカードを備えた電子装置を提供する。電子装置は、受容スペースと、受容スペースに配設された第１コネクタと、受容スペースに配設されＵＳＢメモリカードのファイルにアクセスするためまたはＵＳＢメモリカードにファイルを記憶するため第１コネクタを介して電子装置に電気的に連結されたＵＳＢメモリカードとを含む。
【０００８】
一実施例によれば、受容スペースは、電子装置内に配設され、電子装置の一部によって被われている。
【０００９】
他の実施例によれば、受容スペースは、該スペース内にＵＳＢメモリカードを挿入するため、電子装置の周縁に配設されたスロットである。
【００１０】
他の実施例によれば、ＵＳＢメモリカードは、第１コネクタに接続するための複数のピンを有する少なくとも１組の接触パッドを含む。
【００１１】
他の実施例によれば、第１コネクタは、ＵＳＢメモリカードに接続するための複数の導電端子を含み、この場合、上記導電端子は、導電性部材または導電性突出部である。
【００１２】
他の実施例によれば、電子装置は、可搬電子装置、例えば、携帯電話、パームコンピューター、ノートパソコン、携帯情報端末、デスクトップ・コンピュータまたはデジタルカメラである。
【００１３】
他の実施例によれば、電子装置は、デスクトップコンピュータである。    
【００１４】
他の実施例によれば、受容スペースは、更に、受容スペース内にＵＳＢメモリカードを確保するための固定装置を含む。
【００１５】
他の実施例によれば、電子装置は、更に、スマートカード、例えば、加入者識別モジュールカード（ＳＩＭカード）に接続するための第２コネクタを含む。
【００１６】
本考案の技術的思想にもとづき、ＵＳＢメモリカードを備えた電子装置を提供する。電子装置は、受容スペースと、ＵＳＢメモリカードにファイルを記憶するためまたはＵＳＢメモリカードのファイルにアクセスするため受容スペースに挿入されたＵＳＢメモリカードとを含む。
【００１７】
本考案の他の技術的思想にもとづき、ＵＳＢメモリカードおよび電子機器のＵＳＢポートを信号接続するための信号アダプタが設けてある。
【００１８】
本考案の技術的思想にもとづき、ＵＳＢメモリカードおよび電子機器のＵＳＢポートを信号接続するための信号アダプタが設けてある。信号アダプタは、ケーシングと、ケーシングにＵＳＢメモリカードを挿入するためのスロットと、ケーシング内に配設され、ＵＳＢメモリカードから伝送された信号をＵＳＢフォーマット信号に変換するためにＵＳＢメモリカードに電気的に連結された信号変換器と、信号変換器に電気的に連結され、ＵＳＢフォーマット信号をＵＳＢポートを介して電子機器に伝送するために電子機器のＵＳＢポートに挿入されるＵＳＢコネクタとを含む。
【００１９】
一実施例によれば、信号アダプタは、更に、ＵＳＢコネクタが電子機器のＵＳＢポートに挿入されてない場合にＵＳＢコネクタを保護するため２つの位置の間を移動するカバーを含む。
【００２０】
他の実施例によれば、上記ケーシングは、複数のプラスチックケーシングを統合することによって形成されている。
【００２１】
本考案の技術的思想にもとづき、電子機器のＵＳＢポートに信号接続するための信号アダプタを提供する。信号アダプタは、複数組の接触パッドを有するＵＳＢメモリカードと、ケーシングと、ケーシングにＵＳＢメモリカードを挿入するためのスロットと、ケーシング内に配設され且つＵＳＢメモリカードから伝送された信号をＵＳＢフォーマット信号に変換するためにＵＳＢメモリカードに電気的に連結された信号変換器と、信号変換器に電気的に連結され且つＵＳＢフォーマット信号をＵＳＢポートを介して電子機器に伝送するために電子機器のＵＳＢポートに挿入されるＵＳＢコネクタとを含む。
【００２２】
本考案の上記課題および利点は、以下の詳細な説明および添付の図面を参照すれば当業者に容易に明らかであろう。
【考案を実施するための最良の形態】
【００２３】
さて、下記の実施例を参照して本考案を詳細に説明する。ここで注意するが、本考案の好ましい実施例の以下の説明は、説明のみを目的とし、包括的であることまたは開示の形態を制限することを意図するものではない。
【００２４】
技術の発展とともに、電子ファイルは、多様化および複雑化の傾向にあり、従って、通常のメモリカードの記憶容量および伝送速度は、要求に合致できない。ＵＳＢメモリカードは、様式化でき、大きい記憶容量および高い伝送速度を有し、かくして、電子装置は、ＵＳＢメモリカードを使用するよう設計される。ＵＳＢメモリカードは、電子装置内部に配設でき且つ図２Ａ−２Ｃに示した如く電子装置の一部で被うことができるのみならず、図３Ａ−３Ｂに示した如く電子装置の周縁のスロット内に配設できる。
【００２５】
図２Ａに示した如く、本考案の第１実施例の場合、電子装置は、携帯電話２０である。携帯電話２０は、ＵＳＢメモリカード１０および／または他の小さいカード（例えば、スマートカード３０、但し、スマートカードに限定されるものではない）を受容するための凹みである受容スペース２１を含む。受容スペース２１は、携帯電話２０の内部スペース２２に配設してあり、携帯電話２０の一部（例えば、背面カバー２５、但し、背面カバーに限定されるものではない）によって被われている。換言すれば、背面カバー２５は、バッテリー（図示してない）または携帯電話２０の他の部分で置き換えることができる。かくして、ＵＳＢメモリカード１０およびスマートカード３０は、ＵＳＢメモリカード１０またはスマートカード３０の頻繁な抜差しによる故障、例えば、ＵＳＢメモリカードおよびスマートカードの構造的損傷または喪失を避けるため、携帯電話２０に組込まれ、外側周囲から絶縁されている。
【００２６】
再び図２Ａを参照して説明する。携帯電話２０は、更に、受容スペース２１内に配設され、携帯電話２０内部の回路板（図示してない）に接続された第１コネクタ２３を含む。第１コネクタ２３は、５つの導電端子２３１を有する。この実施例の場合、導電端子２３１は、ＵＳＢメモリカード１０のピン１１１に対応する導電性部材である。ＵＳＢメモリカード１０は、受容スペース２１に配設されているが、ＵＳＢメモリカード１０のピン１１１は、第１コネクタ２３の導電端子２３１を介して携帯電話２０の回路板に電気的に連結されており、従って、写真またはビデオのファイルは、ＵＳＢメモリカード１０に記憶でき、携帯電話２０によって直接に操作できる。
【００２７】
更に、携帯電話２０は、他の電子カードを携帯電話２０の回路板に電気的に連結するため、複数の導電端子２４１を備えた第２コネクタ２４を含む。この実施例の場合、第１コネクタ２３および第２コネクタ２４は、並置してあり、電子カードは、携帯電話２０の情報の記録のためのスマートカード３０、例えば、加入者識別モジュールカード（ＳＩＭカード）である。受容スペース２１にＵＳＢメモリカード１０またはスマートカード３０を強固に確保するため、受容スペース２１は、更に、ＵＳＢメモリカード１０およびスマートカード３０の喪失によって誘起されるファイルへのアクセス不能状態を避けるため、固定装置２１１を含む。もちろん、受容スペース２１内にＵＳＢメモリカード１０およびスマートカード３０を強固に確保するための任意のデザインを本考案の固定装置２１１として使用できる。
【００２８】
図２Ｂを参照して説明する。図２Ｂは、本考案の第２実施例にもとづき電子装置内に配設され電子装置の一部によって被われたＵＳＢメモリカードを示す略図である。第２実施例の場合、受容スペース２１、固定装置２１１およびＵＳＢメモリカード１０およびスマートカード３０との接続関係は、図２Ａに示した第１実施例の場合と同一である。従って、冗漫を避けるため、ここでは説明しない。図２Ｂに示した如く、第１コネクタ２３の導電端子２３２は、導電性突起である。同じく、導電端子２３２は、ＵＳＢメモリカード１０のピン１１１に対応する。従って、ＵＳＢメモリカード１０のピン１１１は、ファイルのアクセスのため、第１コネクタ２３の導電端子２３２を介して携帯電話２０の回路板（図示してない）に電気的に連結されている。更に、図２Ａに示した第１実施例とは異なり、第１コネクタ２３および第２コネクタ２４は、別個に配設されている。換言すれば、第１コネクタ２３および第２コネクタ２４の位置は、限定されず、ＵＳＢメモリカード１０およびスマートカード３０に対する電気的連結の機能は、影響されない。
【００２９】
もちろん、ＵＳＢメモリカードの使用のための電子装置は、携帯電話以外の任意の電子装置であってよい。図２Ｃに示した如く、電子装置は、モニタ４１およびホスト４２を含むノートパソコン４０であり、この場合、ホスト４２は、内部のマザーボード（図示してない）および受容スペース４３を含む。受容スペース４３は、ＵＳＢメモリカード１０および／または他の電子カード（例えば、スマートカード３０、但し、スマートカードに限定されるものではない）を受容するためのホスト４２の内部スペース４４に配設されたくぼみである。この実施例の場合、内部スペース４４は、ノートパソコン４０の一部（例えば、バッテリー４７、但し、バッテリーに限定されるものではない）を設置するためのスペースである。従って、ＵＳＢメモリカード１０およびスマートカード３０は、故障およびＵＳＢメモリカード１０およびスマートカード３０の頻繁な抜差しの不便さを避けるため、受容スペース４３に配設され、バッテリー４７によってノートパソコン４０の外側周辺から絶縁されている。もちろん、バッテリー４７は、ノートパソコン４０の背面カバー（図示してない）または他の部分で置き換えることができる。
【００３０】
同じく、ノートパソコン４０の受容スペース４３は、ＵＳＢメモリカード１０およびスマートカード３０をそれぞれホスト４２のマザーボード（図示してない）に電気的に連結するため複数の導電端子４５１、４６１を有する第１コネクタ４５および第２コネクタ４６を含む。しかしながら、導電端子４５１の形状は、限定されるものではなく、図２Ｃに示した導電性部材または図２Ｂに示した導電性突起であってよい。従って、ＵＳＢメモリカード１０は、ＵＳＢメモリカード１０のファイルをホスト４２の記憶媒体（図示してない）にダウンロードするためまたはスマートカード３０を介してノートパソコン４０の情報を記録するため、ユーザによって直接に制御されるホスト４２によって駆動されるオペレーションシステム（Ｏｐｅｒａｔｉｏｎ  Ｓｙｓｔｅｍ）によって操作できる。更に、受容スペース４３は、受容スペースにＵＳＢメモリカード１０またはスマートカード３０を強固に確保するため固定装置４３１を含み、ＵＳＢメモリカード１０またはスマートカード３０を強固に確保するための任意のデザインを本考案の固定装置４３１として使用できる。
【００３１】
もちろん、ＵＳＢメモリカードの使用は、先行の実施例に限定されるものではない。図３Ａ−３Ｂは、電子装置の周辺のスロットに配設されたＵＳＢメモリカードを示す略図である。図３Ａに示した如く、電子装置は、携帯電話２０の周辺に受容スペース２１を含む携帯電話２０であり、この場合、受容スペース２１は、ＵＳＢメモリカード１０を挿入するためのスロットである。受容スペース２１は、更に、ＵＳＢメモリカード１０を携帯電話２０内の回路板（図示してない）に電気的に連結するため複数の導電端子を有する第１コネクタ２３を含み（図２Ａ−２Ｃ参照）、他方、ＵＳＢメモリカード１０は、受容スペース２１内に挿入されている。従って、ファイル（例えば、写真、ビデオなど）を携帯電話２０のＵＳＢメモリカード１０に記憶できる。
【００３２】
電子装置のファイルは、先行実施例に記載の如く、ＵＳＢメモリカードに記憶でき、もちろん、ＵＳＢメモリカード１０のファイルは、電子装置にダウンロードできる。図３Ｂに示した如く、電子装置は、モニタ４１およびホスト４２を含むノートパソコン４０であり、この場合、ホスト４２は、内部のマザーボードおよびホスト周辺に配設された受容スペース４３を含む。受容スペース４３は、ＵＳＢメモリカード１０を挿入するためのスロットであり、ＵＳＢメモリカード１０をノートパソコン４０のホスト４２のマザーボードに電気的に連結するため複数の導電端子を有する第１コネクタ４５を含む（図２Ａ−２Ｃ参照）。ＵＳＢメモリカード１０を受容スペース４３に挿入した場合、ユーザは、ＵＳＢメモリカード１０のファイルをハードディスクのような記憶媒体（図示してない）にダウンロードするためまたは第１コネクタ４５を介してＵＳＢメモリカード１０にファイルを記憶するため、ノートパソコン４０のホスト４２のマザーボードによって駆動されるオペレーションシステムを使用できる。
【００３３】
もちろん、他の電子カード（例えば、スマートカード）の第２コネクタは、図３Ａ−３Ｂに示した電子装置に配設できる。更に、ＵＳＢメモリカードの使用のための電子装置は、デジタルカメラ、パームコンピュータ、携帯情報端末、デスクトップ・コンピュータまたは先行実施例に記載の携帯電話２０およびノートパソコン４０以外の可搬電子装置であってよく、もちろん、受容スペース、第１、第２コネクタおよびＵＳＢメモリカードおよびスマートカードとの接続関係は、先行実施例の場合と同一である。
【００３４】
図４Ａを参照して説明する。図４Ａは、本考案の好ましい実施例にもとづく信号アダプタを示す展開図である。図４Ａに示した如く、信号アダプタ５は、ＵＳＢメモリカード（ＵＳＣ）５０の挿入のために使用され、かくして、ＵＳＢメモリカード５０は、信号アダプタ５を介して電子装置のＵＳＢポートに信号接続させることができる。従って、ＵＳＢメモリカード５０に記憶されたデータを電子装置の記憶媒体（例えば、ハードディスク）にダウンロードできる。あるいは、電子装置に記憶されたデータを、信号アダプタ５を介してＵＳＢメモリカード５０に記憶できる。信号アダプタ５は、ケーシング５１と、スロット５２と、信号変換器５３と、ＵＳＢコネクタ５４と、カバー５５とを含む。ケーシング５１は、ボックス状ケーシング５１に統合された上部プラスチックケーシング５１１および下部プラスチックケーシング５１２を含む。ＵＳＢメモリカード５０の背面の４つの辺の各々は、１組の接触パッド５１０を有し（図４Ｃ参照）、各組の接触パッド５１０は、信号伝送のため信号変換器５３に電気的に連結されている。更に、各組の接触パッド５１０は、通常のＵＳＢポートよりも１つ多い５つのピン５１３を有し、補足の第５ピンは、ＵＳＢメモリカード５０の伝送速度を増速できるのみならず、他の信号の伝送に役立つ。
【００３５】
ＵＳＢメモリカード５０は、上部プラスチックケーシング５１１の後ろに形成されたスペース内に挿入されており、下部プラスチックケーシング５１２は、スロット５２（図４Ａおよび図４Ｂ参照）を介して統合され、信号伝送のため信号変換器５３に電気的に連結されている。信号変換器５３は、ＵＳＢメモリカード５０から伝送された信号をＵＳＢフォーマット信号に変換するためにまたは電子装置から伝送された信号をＵＳＢメモリカード５０に読込み得る信号フォーマットに変換するために使用される。
【００３６】
信号変換器５３の他端は、ＵＳＢコネクタ５４に電気的に連結されている。ＵＳＢコネクタ５４を電子装置のＵＳＢポートに挿入した場合、信号変換器５３によって変換されたＵＳＢフォーマット信号を、記憶のため、ＵＳＢコネクタ５４およびＵＳＢポートを介して、電子装置の内部に伝送できる。あるいは、電子装置の信号を、信号変換のため、ＵＳＢポートおよびＵＳＢコネクタ５４を介して信号変換器５３へ伝送でき、次いで、ＵＳＢメモリカード５０に記憶できる。
【００３７】
図４Ｂおよび図４Dを参照して説明する。信号アダプタ５は、上部プラスチックケーシング５１１の溝５１１１に受容され位置ＡおよびＢの間を摺動できるカバー５５を含む。ＵＳＢコネクタ５４を電子装置のＵＳＢポートに挿入した場合、カバー５５は、溝５１１１内に完全に受容される。他方、信号アダプタ５を使用しない場合は、ダストまたは異物がＵＳＢコネクタ５４への落下を阻止してＵＳＢコネクタ５４を保護するため、カバー５５を位置Ａから位置Ｂに移動してＵＳＢコネクタ５４を被うことができる（図４Ｄ参照）。
【００３８】
図４Ｂに示した如き好ましい実施例の場合、スロット５２の２つの上部コーナー５２１は、アーク形状であり、他方、スロット５２の２つの下部コーナ５２２は、長方形である。対応して、ＵＳＢメモリカード５０の２つの上側部５０１は、同じく、アーク形状であり、２つの下側部５０２は、長方形である。従って、ＵＳＢメモリカード５０が、スロット５２内に逆方向へ挿入されることはない。スロット５２およびＵＳＢメモリカード５０の対応する構造は、逆挿入阻止の目的を達成できる場合に限り、任意の他の構造として設計できる。
【００３９】
本考案の信号アダプタを介して、ＵＳＢメモリカードおよび電子装置のＵＳＢポートを信号接続でき、かくして、ＵＳＢメモリカードに記憶されたデータを電子装置にダウンロードでき、逆に、電子装置に記憶されたデータをＵＳＢメモリカードにダウンロードすることもできる。従って、本考案の信号アダプタは、産業的価値を有する。
【００４０】
総括して、ＵＳＢメモリカードは、電子装置内部の受容スペースに配設して電子装置の一部で被うことができるのみならず、電子装置の周辺のスロットに挿入することもできる。他方、ＵＳＢメモリカードは、ＵＳＢメモリカードのファイルにアクセスするため、第１コネクタを介して電子装置の内部回路に電気的に連結されている。更に、ＵＳＢメモリカードは電子装置内に配設できるので、電子装置の容積が影響されることはない。従って、電子装置の小型化傾向を満足できる。更に、欠陥、例えば、メモリカードの頻繁な交換に起因するメモリカード喪失の危険性またはメモリカードの構造的損傷は、ＵＳＢメモリカードの大きい記憶容量および大きい伝送速度にもとづき、回避できる。
【００４１】
現時点において何が最も実際的で好ましい実施例と考えられるかに関して本考案を説明したが、もちろん、本考案は、開示の実施例に限定されるものではない。これに反して、すべての変更および類似の構造を包含するよう極めて広い解釈と一致する添付の請求項の精神および範囲内に含まれる多様な変更および類似の構成をカバーすることを意図する。
【図面の簡単な説明】
【００４２】
【図１】ＵＳＢメモリカードを示す略図である。
【図２Ａ】電子装置内に配設され電子装置の一部で被ったＵＳＢメモリカードを示す略図である。
【図２Ｂ】電子装置内に配設され電子装置の一部で被ったＵＳＢメモリカードを示す略図である。
【図２Ｃ】電子装置内に配設され電子装置の一部で被ったＵＳＢメモリカードを示す略図である。
【図３Ａ】電子装置の周辺のスロット内に配設されたＵＳＢメモリカードを示す略図である。
【図３Ｂ】電子装置の周辺のスロット内に配設されたＵＳＢメモリカードを示す略図である。
【図４Ａ】本考案の好ましい実施例にもとづく信号アダプタを示す展開図である。
【図４Ｂ】図２Ａの統合された信号アダプタを示す正面図である。
【図４Ｃ】図２Ａの統合された信号アダプタを示す背面図である。
【図４Ｄ】本考案の信号アダプタに挿入されたＵＳＢメモリカードを示す略図である。
【符号の説明】
【００４３】
１０    ＵＳＢメモリカード
１１１  ピン
２０    携帯電話
２１    受容スペース
２１１  固定装置
２２    内部スペース
２３    第１コネクタ
２３１  導電端子
２４    第２コネクタ
２４１  導電端子
２５  背面カバー
【図１】
0003125336.tif 000003
【図２Ａ】
0003125336.tif 000004
【図２Ｂ】
0003125336.tif 000005
【図２Ｃ】
0003125336.tif 000006
【図３Ａ】
0003125336.tif 000007
【図３Ｂ】
0003125336.tif 000008
【図４Ａ】
0003125336.tif 000009
【図４Ｂ】
0003125336.tif 000010
【図４Ｃ】
0003125336.tif 000011
【図４Ｄ】
0003125336.tif 000012